(57)【要約】複数のセルに対する効率的なセル状態制御手順を実現する端末装置、基地局装置、通信システム、制御方法および集積回路に関する技術を提供する。複数のセルを用いる端末装置が、基地局装置から送信されるグループ識別子情報に基づいて複数のセルをグループ化し、少なくとも一つのセルのセル状態の変更を示す制御情報を受信し、制御情報に含まれる、セル状態の変更を行うセルを示すビットマップ情報とグループ識別子情報とに基づいてセルの状態を制御する。
2014208732.tif 000002
【特許請求の範囲】
【請求項１】
複数のセルを用いる端末装置であって、
基地局装置から送信される情報に基づいて前記複数のセルを複数のセルグループにグループ化し、
前記基地局装置から送信される少なくとも一つの前記セルの状態の変更を示す制御情報を受信し、
前記制御情報を受信したセルグループにおいて、セルの状態を変更する端末装置。
【請求項２】
前記制御情報に基づいて、前記制御情報を受信した前記セルグループにおいて、セルの状態をアクティベーションまたはディアクティベーションに変更する請求項１に記載の端末装置。
【請求項３】
前記制御情報のうち、前記制御情報を受信した前記セルグループにおいて、セルに対応するビット情報のみを用いてセルの状態の制御を行う請求項２に記載の端末装置。
【請求項４】
複数のセルを用いて端末装置と接続する基地局装置であって、
前記複数のセルを複数のセルグループにグループ化させる情報を前記端末装置に送信し、
少なくとも一つの前記セルの状態の変更を示す制御情報を生成し、
前記制御情報を前記セルグループ毎に送信する基地局装置。
【請求項５】
セルの状態を変更するセルが属するセルグループに基づいて、いずれかの前記セルグループにおけるセルに対して前記制御情報を送信する請求項４に記載の基地局装置。
【請求項６】
前記制御情報を送信することによって、前記端末装置の前記セルグループにおけるセルの状態をアクティベーションまたはディアクティベーションに変更する請求項５に記載の基地局装置。
【請求項７】
複数のセルを用いる端末装置と前記端末装置と接続する基地局装置から構成される通信システムであって、
前記基地局装置は、前記複数のセルを複数のセルグループにグループ化させる情報を前記端末装置に送信し、
少なくとも一つの前記セルの状態の変更を示す制御情報を生成し、
前記制御情報を前記セルグループ毎に送信し、
前記端末装置は、前記基地局装置から送信される情報に基づいて前記複数のセルを複数のセルグループにグループ化し、
前記基地局装置から送信される少なくとも一つの前記セルの状態の変更を示す制御情報を受信し、
前記制御情報を受信したセルグループにおいて、セルの状態を変更する通信システム。
【請求項８】
複数のセルを用いる端末装置の制御方法であって、
基地局装置から送信される情報に基づいて前記複数のセルを複数のセルグループにグループ化するステップと、
前記基地局装置から送信される少なくとも一つの前記セルの状態の変更を示す制御情報を受信するステップと、
前記制御情報を受信したセルグループにおいて、セルの状態を変更するステップと、を少なくとも備える制御方法。
【請求項９】
複数のセルを用いて端末装置と接続する基地局装置の制御方法であって、
前記複数のセルを複数のセルグループにグループ化させる情報を前記端末装置に送信するステップと、
少なくとも一つの前記セルの状態の変更を示す制御情報を生成するステップと、
前記制御情報を前記セルグループ毎に送信するステップと、を少なくとも備える制御方法。
【請求項１０】
複数のセルを用いる端末装置に搭載される集積回路であって、
基地局装置から送信される情報に基づいて前記複数のセルを複数のセルグループにグループ化する機能と、
前記基地局装置から送信される少なくとも一つの前記セルの状態の変更を示す制御情報を受信する機能と、
前記制御情報を受信したセルグループにおいて、セルの状態を変更する機能と、を少なくとも含む一連の機能を前記端末装置に発揮させることを特徴とする集積回路。
【請求項１１】
複数のセルを用いて端末装置と接続する基地局装置に搭載される集積回路であって、
前記複数のセルを複数のセルグループにグループ化させる情報を前記端末装置に送信する機能と、
少なくとも一つの前記セルの状態の変更を示す制御情報を生成する機能と、
前記制御情報を前記セルグループ毎に送信する機能と、を少なくとも含む一連の機能を前記基地局装置に発揮させることを特徴とする集積回路。
【発明の詳細な説明】
【技術分野】
【０００１】
本発明の実施形態は、効率的なセル状態制御手順を実現する端末装置、基地局装置、通信システム、制御方法および集積回路の技術に関する。
本願は、２０１３年６月２７日に、日本に出願された特願２０１３−１３４６５０号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行う技術（Ｄｕａｌ  Ｃｏｎｎｅｃｔｉｖｉｔｙ（デュアルコネクティビティ、双対接続性））について検討されている（非特許文献１）。【０００５】
非特許文献１において、端末装置がセル半径（セルサイズ）の大きいセル（マクロセル）とセル半径の小さいセル（スモールセル）との間でデュアルコネクティビティを実現しようとするとき、マクロセルとスモールセル間のバックボーン回線（Ｂａｃｋｈａｕｌ（バックホール））が低速であり、遅延が発生することを前提としたネットワークでの検討が進められている。すなわち、マクロセルとスモールセル間でやり取りされる制御情報またはユーザ情報が遅延することによって、デュアルコネクティビティにおいて従来では実現できていた機能が実現できない、または実現が困難となる可能性がある。【０００６】
例えば、従来はある１つの基地局装置が複数のセルのパケットスケジューリングについて集中的に制御していたが、バックボーン回線に遅延があるようなネットワークにおいて、このような集中制御を行うことは、無線状況を反映した最適なスケジューリングができない可能性がある。そのため、マクロセルの基地局装置とスモールセルの基地局装置との両方で動的なリソース割り当て機能を持たせることで、パケットスケジューリングを分散的に制御する方法が検討されている（非特許文献２）。
【先行技術文献】
【非特許文献】
【０００７】
【非特許文献１】Ｒ２−１３０４４４，ＮＴＴ  ＤＯＣＯＭＯ，  ＩＮＣ．，３ＧＰＰ  ＴＳＧ  ＲＡＮ２＃８１，Ｓｔ．  Ｊｕｌｉａｎ’ｓ，  Ｍａｌｔａ，  Ｊａｎｕａｒｙ  ２８ｔｈ  −  Ｆｅｂｒｕａｒｙ  １ｓｔ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８１／Ｄｏｃｓ／
【非特許文献２】Ｒ２−１３１７７８，  ＭｅｄｉａＴｅｋ  Ｉｎｃ．，３ＧＰＰ  ＴＳＧ  ＲＡＮ２＃８２，Ｆｕｋｕｏｋａ，  Ｊａｐａｎ，  Ｍａｙ  ２０ｔｈ  −  ２４ｔｈ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８２／Ｄｏｃｓ／
【発明の概要】
【発明が解決しようとする課題】
【０００８】
非特許文献２の例のように、基地局装置間の分散的なパケットスケジューリングを行うことによって、端末装置は、基地局装置間のバックボーン回線を介さずに直接フィードバック情報をそれぞれの基地局装置へ送信することができる。しかしながら、基地局装置が分散的なパケットスケジューリングを行うということは、互いの基地局装置が管理するセルの状態について把握できないという問題が発生する。【０００９】
すなわち、異なる基地局装置がデュアルコネクティビティによって接続される場合、それぞれの基地局装置は、端末装置に割り当てた複数のセルの状態について、自基地局装置が管理するセルの状態については把握（認識）できるが、他基地局装置が管理するセルの状態については把握できない。そのため、基地局装置と端末装置とで、セルの状態について状態不一致が生じる可能性がある。【００１０】
より具体的には、それぞれの基地局装置は自基地局装置が管理していないセルの状態を把握できないため、基地局装置は、活性化中（スケジューリング中）のセルを不活性化したり、逆に、不活性化中（非スケジューリング中）のセルを活性化したりする可能性がある。このように、端末装置に対するセル状態の制御を一つの基地局装置で集中的に行えないことによって、基地局装置のスケジューリングが非効率となり、端末装置のスループットが低下するという問題が発生する。【００１１】
本発明の実施形態は、効率的なセル状態制御手順を実現することが可能な端末装置、基地局装置、通信システム、制御方法および集積回路に関する技術を提供することによって上記の課題の少なくとも１つを解決することを目的とする。
【課題を解決するための手段】
【００１２】
上記の目的を達成するために以下のような手段を講じた。すなわち、本発明の実施形態における端末装置は、基地局装置から送信される情報に基づいて複数のセルを複数のセルグループにグループ化し、基地局装置から送信される少なくとも一つのセルの状態の変更を示す制御情報を受信し、制御情報を受信したセルグループにおいて、セルの状態を変更する、複数のセルを用いる端末装置である。【００１３】
また、本発明の実施形態における端末装置は、基地局装置から送信される制御情報に基づいて、制御情報を受信したセルグループにおいて、セルの状態をアクティベーションまたはディアクティベーションに変更してもよい。【００１４】
また、本発明の実施形態における端末装置は、基地局装置から送信される制御情報のうち、制御情報を受信したセルグループにおいて、セルに対応するビット情報のみを用いてセルの状態の制御を行ってもよい。【００１５】
このように、端末装置は、自端末装置に設定されている複数のセルのそれぞれのセル状態について、基地局装置から受信したセル状態の変更を示す制御情報に基づいて適切に変更することによって、セル状態変更制御を効率化することができる。【００１６】
また、本発明の実施形態における基地局装置は、複数のセルを複数のセルグループにグループ化させる情報を端末装置に送信し、少なくとも一つのセルの状態の変更を示す制御情報を生成し、生成した制御情報をセルグループ毎に送信する、複数のセルを用いて端末装置と接続する基地局装置である。【００１７】
また、本発明の実施形態における基地局装置は、セルの状態を変更するセルが属するセルグループに基づいて、いずれかのセルグループにおけるセルに対して制御情報を送信してもよい。【００１８】
また、本発明の実施形態における基地局装置は、制御情報を送信することによって、端末装置のセルグループにおけるセルの状態をアクティベーションまたはディアクティベーションに変更してもよい。【００１９】
このように、基地局装置は、端末装置に設定した複数のセルのそれぞれのセル状態について、セル状態の変更を示す制御情報を適切に送信することによって、セル状態変更制御を効率化することができる。【００２０】
また、本発明の実施形態における通信システムは、基地局装置において、複数のセルを複数のセルグループにグループ化させる情報を端末装置に送信し、少なくとも一つのセルの状態の変更を示す制御情報を生成し、生成した制御情報をセルグループ毎に送信し、端末装置において、基地局装置から送信される情報に基づいて複数のセルを複数のセルグループにグループ化し、基地局装置から送信される少なくとも一つのセルの状態の変更を示す制御情報を受信し、制御情報を受信したセルグループにおいて、セルの状態を変更する、複数のセルを用いて接続される端末装置と基地局装置から構成される通信システムである。【００２１】
このように、通信システムは、基地局装置において、端末装置に設定した複数のセルのそれぞれのセル状態について、セル状態の変更を示す制御情報を適切に送信し、端末装置において、自端末装置に設定されている複数のセルのそれぞれのセル状態について、基地局装置から受信したセル状態の変更を示す制御情報に基づいて適切に変更することによってセル状態変更制御を効率化することができる。【００２２】
また、本発明の実施形態における制御方法は、端末装置において、基地局装置から送信される情報に基づいて複数のセルを複数のセルグループにグループ化するステップと、基地局装置から送信される少なくとも一つのセルの状態の変更を示す制御情報を受信するステップと、制御情報を受信したセルグループにおいて、セルの状態を変更するステップと、を少なくとも備える、複数のセルを用いる端末装置の制御方法である。【００２３】
このように、端末装置の制御方法は、自端末装置に設定されている複数のセルのそれぞれのセル状態について、基地局装置から受信したセル状態の変更を示す制御情報に基づいて適切に変更するステップを有することによって、セル状態変更制御を効率化することができる。【００２４】
また、本発明の実施形態における制御方法は、基地局装置において、複数のセルを複数のセルグループにグループ化させる情報を端末装置に送信するステップと、少なくとも一つのセルの状態の変更を示す制御情報を生成するステップと、生成した制御情報をセルグループ毎に送信するステップと、を少なくとも備える、複数のセルを用いて端末装置と接続する基地局装置の制御方法である。【００２５】
このように、基地局装置の制御方法は、端末装置に設定した複数のセルのそれぞれのセル状態について、セル状態の変更を示す制御情報を適切に送信するステップを有することによって、セル状態変更制御を効率化することができる。【００２６】
また、本発明の実施形態における集積回路は、端末装置において、基地局装置から送信される情報に基づいて複数のセルを複数のセルグループにグループ化する機能と、基地局装置から送信される少なくとも一つのセルの状態の変更を示す制御情報を受信する機能と、制御情報を受信したセルグループにおいて、セルの状態を変更する機能と、を少なくとも含む一連の機能を端末装置に発揮させる、複数のセルを用いる端末装置に搭載される集積回路である。【００２７】
このように、端末装置に搭載される集積回路は、自端末装置に設定されている複数のセルのそれぞれのセル状態について、基地局装置から受信したセル状態の変更を示す制御情報に基づいて適切に変更する機能を発揮させることによって、セル状態変更制御を効率化することができる。【００２８】
また、本発明の実施形態における集積回路は、基地局装置において、複数のセルを複数のセルグループにグループ化させる情報を端末装置に送信する機能と、少なくとも一つのセルの状態の変更を示す制御情報を生成する機能と、生成した制御情報をセルグループ毎に送信する機能と、を少なくとも含む一連の機能を基地局装置に発揮させる、複数のセルを用いて端末装置と接続する基地局装置に搭載される集積回路である。【００２９】
このように、基地局装置に搭載される集積回路は、端末装置に設定した複数のセルのそれぞれのセル状態について、セル状態の変更を示す制御情報を適切に送信する機能を発揮させることによって、セル状態変更制御を効率化することができる。【００３０】
本明細書では、効率的なセル状態制御手順を実現する端末装置、基地局装置、通信システム、制御方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと上位互換性のある通信方式に限定されるものではない。【００３１】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００３２】
本発明の実施形態によれば、セルの状態制御手順を効率的に行うことが可能な端末装置、基地局装置、通信システム、制御方法および集積回路に関する技術を提供することが出来る。
【図面の簡単な説明】
【００３３】
【図１】本発明の実施形態に係る端末装置の概略構成の一例を示すブロック図である。
【図２】本発明の実施形態に係る基地局装置の概略構成の一例を示すブロック図である。
【図３】本発明の実施形態に係るセル状態制御手順を示すシーケンスチャート図である。
【図４】本発明の第１の実施形態に係るセルおよびセルインデックスの割り当ての一例を示す図である。
【図５】本発明の第１の実施形態に係るセル状態の制御に用いる制御要素のフィーマットの一例を示す図である。
【図６】本発明の第１の実施形態に係るセル状態の制御に用いる制御要素におけるビット割り当ての一例を示す図である。
【図７】本発明の第２の実施形態に係るセルおよびセルインデックスの割り当ての一例を示す図である。
【図８】本発明の第２の実施形態に係るセル状態の制御に用いる制御要素におけるビット割り当ての一例を示す図である。
【図９】従来のセル状態の制御に用いる制御要素のフィーマットについて説明を示す図である。
【図１０】本発明の実施形態に係るデュアルコネクティビティのアーキテクチャーの一例を示す図である。
【図１１】本発明の実施形態に係るデュアルコネクティビティのアーキテクチャーの別の一例を示す図である。
【発明を実施するための形態】
【００３４】
本発明の各実施形態に関わる技術について以下に簡単に説明する。
【００３５】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送信に用いられる媒体を意味し、物理チャネルとは信号の送信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００３６】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３７】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３８】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３９】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報（送信タイミングタイマーなど）、当該セルにおける共通無線リソース設定情報、周辺セル情報、上りリンクアクセス制限情報などが通知される。
【００４０】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りリンクセル固有ＲＳを使用する。セル固有ＲＳに使用される系列は、セル毎に識別可能な系列が用いられる。
【００４１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルを復調するときのチャネルの伝搬路補償処理のために参照される。
【００４２】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信される。拡張物理下りリンク制御チャネル（EPDCCH; Enhanced Physical Downlink Control Channel）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４３】
端末装置は、下りリンクデータや下りリンク制御データであるレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４４】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４５】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００４６】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４７】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４８】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４９】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００５０】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５１】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００５２】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００５３】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーする通信エリアが周波数毎に異なっていてもよい。基地局装置の種別やセル半径の大きさが異なるセルが、同一の周波数または異なる周波数の通信エリアに混在して一つの通信システムを形成している無線ネットワークのことを、ヘテロジニアスネットワークと称する。
【００５４】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動することができる。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５５】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルに分類される。
【００５６】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００５７】
[プライマリセル、セカンダリセル]
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５８】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５９】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅を持っていても構わない。
【００６０】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。なお、基地局装置が端末装置に割り当てる（設定する、追加する）上りリンクコンポーネントキャリアの数は、下りリンクコンポーネントキャリアの数と同じか少ないことが望ましい。
【００６１】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。
【００６２】
端末装置は、プライマリセルにおいて、ページングメッセージの受信、報知情報の更新の検出、初期アクセス手順、セキュリティ情報の設定などを行う一方、セカンダリセルではこれらを行わないでもよい。プライマリセルとセカンダリセルとを合わせてサービングセル（在圏セル）と称する。
【００６３】
プライマリセルは活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化および不活性化というセルの状態（ｓｔａｔｅ）を持つ。このセカンダリセルのセルの状態の変更は、基地局装置から明示的にセルの状態の変更が指定（通知、指示）されるほか、コンポーネントキャリア（セカンダリセル）毎に端末装置が計時するタイマー（セカンダリセル不活性化タイマー）に基づいてセルの状態が変更される。
【００６４】
セカンダリセルの活性化および／または不活性化の制御について説明する。基地局装置は、端末装置に対し、セカンダリセルの活性化および／または不活性化を示すコマンドを通知する。該コマンドは、ＭＡＣ層でデコードされるＭＡＣ  ＰＤＵ（Protocol data unit）に含まれるＭＡＣ制御要素（ＭＡＣ−ＣＥ：MAC control element）として端末装置に送信される。
【００６５】
セカンダリセルの活性化および／または不活性化を示すコマンドの詳細について、図９を用いて説明する。端末装置は、セカンダリセルの活性化および／または不活性化を示すＭＡＣ制御要素（Activation/Deactivation MAC control element）として、図９のフォーマット（ビット構造（構成））によって通知される１オクテットのビット列（８ビット）を受信する。図中の「Ｒ」フィールドはリザーブビットであり、０（ゼロ）である。
【００６６】
また、「Ｃ（ｉ）」フィールド（ｉ＝１〜７）は、セカンダリセルのセルの状態をそれぞれ活性化および／または不活性化に変更する指示情報を表すビットマップ情報である。ｉはセカンダリセルのインデックス番号であり、基地局装置からセカンダリセルを設定する（割り当てる）際に端末装置に通知される。「Ｃ（ｉ）」フィールドが１である場合、端末装置は、インデックスｉに対応するセカンダリセルを活性化の状態にする。一方、「Ｃ（ｉ）」フィールドが０（ゼロ）である場合、端末装置は、インデックスｉに対応するセカンダリセルを不活性化の状態にする。インデックスｉに対応するセカンダリセルが端末装置に設定されていない場合、端末装置は、インデックスｉの値を無視する。
【００６７】
Ｃ（ｉ）フィールドにおいて、活性化しているセカンダリセルに対して活性化（すなわち、１）が設定された場合、および、不活性化しているセカンダリセルに対して不活性化（すなわち、０（ゼロ））が設定された場合、端末装置は該当するセルの状態は変更しない（セルの状態を維持する）。
【００６８】
また、端末装置は、活性化したセカンダリセルに対し、セカンダリセル不活性化タイマーをスタートし、計時を行う。すなわち、セカンダリセル不活性化タイマーは活性化したセカンダリセル毎に計時される。セカンダリセル不活性化タイマーが満了した場合、端末装置は、対応するセカンダリセルのセルの状態を不活性化する。セカンダリセル不活性化タイマーは端末装置に設定された全てのセカンダリセルについて共通の初期値が適用される。セカンダリセル不活性化タイマーは、ＰＤＣＣＨによって上りリンクグラントまたは下りリンクアサインメントが通知された場合、該ＰＤＣＣＨを受信したセカンダリセル、または該ＰＤＣＣＨによって無線リソースが割り当てられたセカンダリセル、またはその両方のセカンダリセルにおいて再スタートされる。
【００６９】
端末装置は、活性化したセカンダリセルにおいて、ＳＲＳの送信、および、ＣＳＩの報告を開始する。また、端末装置は、活性化したセカンダリセルのＰＤＣＣＨの監視（モニタリング）、および、活性化したセカンダリセルのスケジューリングに使用されるセルのＰＤＣＣＨの監視（モニタリング）を開始する。一方、端末装置は、不活性化したセカンダリセルにおいて、ＳＲＳの送信、ＣＳＩの報告、上りリンクデータの送信、ランダムアクセス手順の開始、該セカンダリセルのＰＤＣＣＨの監視（モニタリング）、および、該セカンダリセルのスケジューリングに使用されるセルのＰＤＣＣＨの監視（モニタリング）をそれぞれ停止する。
【００７０】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることが出来る。
【００７１】
[デュアルコネクティビティ]
図１０および図１１を用いてデュアルコネクティビティの基本構造（アーキテクチャー）について説明する。図１０および図１１は、端末装置１が、複数の基地局装置２（図中では基地局装置２−１、基地局装置２−２で示す）と同時に接続していることを示している。基地局装置２−１はマクロセルを構成する基地局装置であり、基地局装置２−２はスモールセルを構成する基地局装置であるとする。このように、端末装置１が、複数の基地局装置２に属するセルを用いて同時に接続することをデュアルコネクティビティと称する。各基地局装置２は同じ周波数で運用されていてもよいし、異なる周波数で運用されていてもよい。
【００７２】
なお、キャリア・アグリゲーションは、複数のセルを一つの基地局装置２が管理し、各セルの周波数が異なるという点、および、複数のセル間が遅延の影響を考慮する必要がない高速なバックボーン回線である点がデュアルコネクティビティによる接続と異なる。換言すると、キャリア・アグリゲーションは、一つの端末装置１と一つの基地局装置２とを、複数のセルを介して接続させる技術であるのに対し、デュアルコネクティビティは、一つの端末装置１と複数の基地局装置２とを、複数のセルを介して接続させる技術である。
【００７３】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの管理（追加、削除、変更など）、キャリア・アグリゲーションに対応した測定方法および測定イベント設定、セルの状態の活性化／不活性化などの技術をデュアルコネクティビティにより接続されるセルに対して適用してもよい。
【００７４】
図１０および図１１において、基地局装置２−１または基地局装置２−２は、ＭＭＥ３００とＳＧＷ４００とバックボーン回線で接続されている。ＭＭＥ３００は、ＭＭＥ（Mobility Management Entity）に対応する基地局装置２よりも上位の制御局装置であり、端末装置１の移動性管理や認証制御（セキュリティ制御）および基地局装置２に対するユーザデータの経路を設定する役割などを持つ。ＳＧＷ４００は、Ｓｅｒｖｉｎｇ  Ｇａｔｅｗａｙ（Ｓ−ＧＷ）に対応する上位の制御局装置であり、ＭＭＥ３００によって設定された端末装置１へのユーザデータの経路に従ってユーザデータを伝送する役割などを持つ。
【００７５】
また、図１０および図１１において、基地局装置２−１または基地局装置２−２とＳＧＷ４００の接続経路は、ＳＧＷインターフェースＮ１０と称される。また、基地局装置２−１または基地局装置２−２とＭＭＥ３００の接続経路は、ＭＭＥインターフェースＮ２０と称される。また、基地局装置２−１と基地局装置２−２の接続経路は、基地局インターフェースＮ３０と称される。ＳＧＷインターフェースＮ１０は、ＥＵＴＲＡにおいてＳ１−Ｕインターフェースとも称される。また、ＭＭＥインターフェースＮ２０は、ＥＵＴＲＡにおいてＳ１−ＭＭＥインターフェースとも称される。また、基地局インターフェースＮ３０は、ＥＵＴＲＡにおいてＸ２インターフェースとも称される。
【００７６】
デュアルコネクティビティを実現するアーキテクチャーとして、図１０のようなネットワークの構成をとることができる。図１０において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。また、基地局装置２−１は、基地局インターフェースＮ３０を介して、基地局装置２−２へＭＭＥ３００、および／またはＳＧＷ４００との通信経路を提供する。換言すると、基地局装置２−２は、基地局装置２−１を経由してＭＭＥ３００、および／またはＳＧＷ４００と接続されている。
【００７７】
また、デュアルコネクティビティを実現する別のアーキテクチャーとして、図１１のようなネットワークの構成をとることができる。図１１において、基地局装置２−１とＭＭＥ３００は、ＭＭＥインターフェースＮ２０によって接続されている。また、基地局装置２−１とＳＧＷ４００は、ＳＧＷインターフェースＮ１０によって接続されている。基地局装置２−１は、基地局インターフェースＮ３０を介して、基地局装置２−２へＭＭＥ３００との通信経路を提供する。換言すると、基地局装置２−２は、基地局装置２−１を経由してＭＭＥ３００と接続されている。また、基地局装置２−２は、ＳＧＷインターフェースＮ１０を介してＳＧＷ４００と接続されている。
【００７８】
なお、基地局装置２−２とＭＭＥ３００が、ＭＭＥインターフェースＮ２０によって直接接続されるような構成であってもよい。
【００７９】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００８０】
＜第１の実施形態＞
本発明の第１の実施形態について以下に説明する。
【００８１】
図１は、本発明の第１の実施形態による端末装置１の一例を示すブロック図である。本端末装置１は、受信部１０１、復調部１０２、復号部１０３、測定処理部１０４、制御部１０５、上りリンクバッファ制御部１０６、符号部１０７、変調部１０８、送信部１０９、上りリンク無線リソース要求制御部１１０、ランダムアクセス制御部１１１、上位レイヤ部１１２から構成される。上位レイヤ部１１２は、端末装置１の上位レイヤとして無線リソース制御を執り行うＲＲＣ（Ｒａｄｉｏ  Ｒｅｓｏｕｒｃｅ  Ｃｏｎｔｒｏｌ）層の特定の機能を実現するブロックである。
【００８２】
また、上りリンクバッファ制御部１０６、上りリンク無線リソース要求制御部１１０、ランダムアクセス制御部１１１は、データリンク層を管理するＭＡＣ（Ｍｅｄｉｕｍ  Ａｃｃｅｓｓ  Ｃｏｎｔｒｏｌ）層の特定の機能を実現するブロックである。また、ＭＡＣ層の特定の機能は上位レイヤ部１１２においても実現される。図中の「部」とは、セクション、回路、構成装置、デバイス、ユニットなど用語によっても表現される、端末装置１の機能および各手順を実現する要素である。
【００８３】
なお、端末装置１は、キャリア・アグリゲーション、および／またはデュアルコネクティビティによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。また、端末装置１は、測定処理部１０４、制御部１０５、上りリンクバッファ制御部１０６、上りリンク無線リソース要求制御部１１０、ランダムアクセス制御部１１１、上位レイヤ部１１２を複数備える構成であってもよい。
【００８４】
受信に関し、上位レイヤ部１１２より制御部１０５へ端末装置制御情報が入力される。端末装置制御情報は、受信制御情報と送信制御情報によって構成される端末装置１の無線通信制御に必要な情報であり、基地局装置２から個別に送信される無線リソース制御情報、セル固有の報知情報、またはシステムパラメータにより設定され、上位レイヤ部１１２が必要に応じて制御部１０５へ入力する。制御部１０５は、受信に関する制御情報である受信制御情報を、受信部１０１、復調部１０２、復号部１０３へ適切に入力する。
【００８５】
受信制御情報は、受信周波数帯域の情報の他に、ＤＲＸ制御情報、各チャネルに関する受信タイミング、多重方法、無線リソース配置情報などの情報が含まれている。また、制御部１０５は、セルの測定に関する制御に必要となる測定設定情報を測定処理部１０４に入力する。測定設定情報は、端末装置１で測定した在圏セルおよび周辺セルの測定結果が、指定された測定イベントを満たしたかどうかの測定イベント判定のための測定イベント情報を含む情報である。また、測定設定情報は、端末装置１で測定した周辺セルの測定結果が、セル選択に関する選択基準を満たすか否かを判定するための周辺セル情報を含む情報である。
【００８６】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号する。ここで、各データ（下りリンクデータまたは下りリンク制御データ）と共に基地局装置２から送信されたＭＡＣ制御要素は、復号部１０３で復号される。復号された各データは上位レイヤ部１１２へと入力され、測定に関するデータは測定処理部１０４に入力される。
【００８７】
また、測定処理部１０４は、検出した周辺セル（コンポーネントキャリア）の下りリンクリファレンスシグナルの受信品質（ＳＩＲ、ＳＩＮＲ、ＲＳＲＰ、ＲＳＲＱ、ＲＳＳＩ、パスロスなど）を測定し、必要な測定結果を生成する。ＲＳＲＰは下りリンクリファレンスシグナルの受信電力の大小を示す値であり、ＲＳＲＱは、下りリンクリファレンスシグナルの品質を示す値である。
【００８８】
測定処理部１０４は、測定結果を、設定された測定イベント情報に基づく測定イベントの成否を判定するセルの品質情報として用いる。また、測定処理部１０４は、測定結果を、設定された周辺セル情報に基づくセル選択またはセル再選択の選択基準のための品質情報として用いる。なお、測定に用いる信号は下りリンクリファレンスシグナルに限定されず、ＣＳＩ−ＲＳ等のセルの品質を測るために用いられる信号であれば別の信号を測定しても良い。
【００８９】
また、送信に関し、上位レイヤ部１１２より制御部１０５へ各ブロックを制御するための制御パラメータである端末装置制御情報が入力され、送信に関する制御情報である送信制御情報が、上りリンクバッファ制御部１０６、符号部１０７、変調部１０８、送信部１０９へ適切に入力される。送信制御情報は、送信信号の上りリンクスケジューリング情報として、ＤＴＸ制御情報、符号化情報、変調情報、送信周波数帯域の情報、各チャネルに関する送信タイミング、多重方法、無線リソース配置情報などの情報が含まれている。
【００９０】
上位レイヤ部１１２からランダムアクセス制御部１１１にランダムアクセス設定情報が入力される。上位レイヤ部１１２は、複数のセルにそれぞれ対応した複数のランダムアクセス設定情報をランダムアクセス制御部１１１に設定してもよい。また、上位レイヤ部１１２は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信制御情報に含まれる。
【００９１】
なお、複数の上りリンク送信タイミングの状態を管理する必要がある場合、上位レイヤ部１１２は、複数のそれぞれのセル（またはセルグループ、ＴＡグループ）の上りリンク送信タイミングに対応する送信タイミング調整情報を管理する。
【００９２】
生起した送信データ（上りリンクデータと上りリンク制御データ）は、上位レイヤ部１１２より任意のタイミングで上りリンクバッファ制御部１０６に入力される。このとき、上りリンクバッファ制御部１０６は、入力された送信データの量（上りリンクバッファ量）を計算する。また、上りリンクバッファ制御部１０６は、入力された送信データが制御平面に属するデータなのか、ユーザ平面に属するデータなのかを判別する機能を有する。
【００９３】
上りリンク無線リソース要求制御部１１０には、上位レイヤ部１１２よりリソース要求設定情報が設定される。なお、リソース要求設定情報は、上りリンク制御チャネル設定情報の一部である。リソース要求設定情報には、少なくとも最大送信カウンタ設定情報と無線リソース要求禁止タイマー情報とが含まれている。上位レイヤ部１１２は、複数のセルにそれぞれ対応した複数のリソース要求設定情報を上りリンク無線リソース要求制御部１１０に設定してもよい。また、上りリンクバッファ制御部１０６は、上りリンクバッファ制御部１０６に送信データが入力されたときに、送信データの発生を上りリンク無線リソース要求制御部１１０へ通知することによって、上りリンクバッファに送信データが存在することを知らせる。
【００９４】
上りリンク無線リソース要求制御部１１０は、入力された送信データの送信に必要な無線リソースが割り当てられているかを判断する。上りリンク無線リソース要求制御部１１０は、無線リソース割り当てに基づいて、物理上りリンク共用チャネルＰＵＳＣＨ、物理上りリンク制御チャネルによる無線リソース要求（ＳＲ−ＰＵＣＣＨ）、または物理ランダムアクセスチャネルのいずれか一つを選択し、選択したチャネルを送信するための制御処理を符号部１０７および／またはランダムアクセス制御部１１１に対して要求する。
【００９５】
すなわち、すでに無線リソースが割り当てられており、送信データを物理上りリンク共用チャネルＰＵＳＣＨで送信可能な状態であるとき、符号部１０７は、上りリンク無線リソース要求制御部１１０の指示に従って割り当て済みの無線リソースに対応する送信データを上りリンクバッファ制御部１０６から取得して符号化し、変調部１０８に出力する。または、無線リソースが割り当てられていないときで、物理上りリンク制御チャネルによる無線リソース要求（ＳＲ−ＰＵＣＣＨ）が可能であるとき、符号部１０７は、上りリンク無線リソース要求制御部１１０の指示に従ってＳＲ−ＰＵＣＣＨの送信に必要な制御データを符号化し、変調部１０８に出力する。
【００９６】
または、無線リソースが割り当てられていないときで、物理上りリンク制御チャネルによる無線リソース要求（ＳＲ−ＰＵＣＣＨ）が不可能であるとき、符号部１０７は、ランダムアクセス制御部１１１に対してランダムアクセス手順の開始を指示する。このとき、符号部１０７は、ランダムアクセス制御部１１１から入力されるランダムアクセス設定情報に基づき物理ランダムアクセスチャネルで送信されるプリアンブル系列を生成する。また、符号部１０７は送信制御情報に従い、各データを適切に符号化し、変調部１０８に出力する。
【００９７】
変調部１０８は、符号部１０７からの出力を送信するチャネル構造に基づいて適切に変調処理を行う。送信部１０９は、変調部１０８の出力を周波数領域にマッピングすると共に、周波数領域の信号を時間領域の信号へ変換し、既定の周波数の搬送波にのせて電力増幅を行う。送信部１０９は、また、上位レイヤ部１１２より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００９８】
図１において、その他の端末装置１の構成要素は省略してあるが、端末装置１として動作するために必要なその他の機能を有する複数のブロックを構成要素として持つことは明らかである。
【００９９】
図２は、本発明の第１の実施形態による基地局装置２の一例を示すブロック図である。本基地局装置は、受信部２０１、復調部２０２、復号部２０３、制御部２０４、符号部２０５、変調部２０６、送信部２０７、上位レイヤ部２０８、ネットワーク信号送受信部２０９から構成される。図中の「部」とは、セクション、回路、構成装置、デバイス、ユニットなどの用語によっても表現される、基地局装置２の機能および各手順を実現する要素である。
【０１００】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０５、変調部２０６、送信部２０７）を複数備える構成であってもよい。また、制御部２０４、上位レイヤ部２０８、ネットワーク信号送受信部２０９を複数備える構成であってもよい。
【０１０１】
上位レイヤ部２０８は、基地局装置２の上位レイヤとして無線リソース制御を執り行うＲＲＣ（Ｒａｄｉｏ  Ｒｅｓｏｕｒｃｅ  Ｃｏｎｔｒｏｌ）層の特定の機能を実現するブロックである。
【０１０２】
上位レイヤ部２０８は、下りリンクデータと下りリンク制御データを符号部２０５へ入力する。符号部２０５は、入力されたデータを符号化し、変調部２０６へ入力する。変調部２０６は、符号化した信号の変調を行なう。ここで、端末装置１へ送信するＭＡＣ制御要素が存在する場合、各データ（下りリンクデータまたは下りリンク制御データ）と共に符号部２０５で符号化される。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【０１０３】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へ入力されて復号され、正しく復号された上りリンク制御データや上りリンクデータを上位レイヤ部２０８へと出力する。
【０１０４】
これら各ブロックの制御に必要な基地局装置制御情報は、受信制御情報と送信制御情報によって構成される基地局装置２の無線通信制御に必要な情報であり、上位のネットワーク装置（ＭＭＥ（ＭＭＥ３００）やゲートウェイ装置（ＳＧＷ４００）、ＯＡＭなど）やシステムパラメータにより設定され、上位レイヤ部２０８が必要に応じて制御部２０４へ入力する。
【０１０５】
制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ部２０８の一部として存在する。
【０１０６】
一方、ネットワーク信号送受信部２０９は、基地局装置２間あるいは上位のネットワーク装置（ＭＭＥ３００、ＳＧＷ４００）と基地局装置２との間の制御メッセージ、またはユーザデータの送信（転送）または受信を行なう。図２において、その他の基地局装置２の構成要素は省略してあるが、基地局装置２として動作するために必要なその他の機能を有する複数のブロックを構成要素として持つことは明らかである。
【０１０７】
図３は、本発明の第１の実施形態におけるセカンダリセルの活性化および／または不活性化のセル状態制御手順に関するシーケンスチャート図の一例を示したものである。
【０１０８】
図３において、端末装置１と基地局装置２は複数のセルを用いて接続されている状態である。また、基地局装置２は、基地局装置２−１と基地局装置２−２を含む。
【０１０９】
まず、基地局装置２は、ステップＳ１００において、活性化および／または不活性化の制御の対象となるセル（セカンダリセル）を決定する。基地局装置２は、（１）端末装置１のバッファステータスレポートによって報告された上りリンクのバッファ状態、（２）セカンダリセルで成立した測定イベント報告またはＣＳＩ報告、（３）セルの負荷状況、（４）端末装置１の移動速度、などの情報のうち、一つまたはこれらの組み合わせに基づいてセル状態制御の対象となるセルを決定することができる。また、基地局装置２は、これ以外の情報を用いて活性化および／または不活性化の対象となるセルを決定することもできる。
【０１１０】
そして、基地局装置２は、ステップＳ１００で制御の対象として決定されたセルの活性化および／または不活性化を指示する情報を、後述するＭＡＣ制御要素のフォーマットに基づいて設定し、該ＭＡＣ制御要素を含めたＭＡＣ  ＰＤＵを生成し、符号化及び変調化処理を行い、ＰＤＳＣＨへとマッピングして端末装置１へ送信する（ステップＳ１０１）。なお、ステップＳ１０１における活性化および／または不活性化を示すＭＡＣ制御要素を含むＰＤＳＣＨの送信には、下りリンクグラントを示すＰＤＣＣＨまたはＥＰＤＣＣＨの送信が伴うが、図ではこの手順を省略している。
【０１１１】
端末装置１は、ステップＳ１０１で送信された活性化／不活性化を指示するＭＡＣ制御要素を受信し、該ＭＡＣ制御要素に基づいて自端末装置１に設定されている（割り当てられている）セカンダリセルのセル状態を変更する（ステップＳ１０２）。セカンダリセルのセル状態を変更は、活性化から不活性化への変更、および／または、不活性化から活性化への変更を含む。該ＭＡＣ制御要素は、複数のセルの状態の変更を一度に指示することもできる。なお、ステップＳ１０１のＰＤＳＣＨ受信に伴い、ＡＣＫ／ＮＡＣＫが端末装置１から基地局装置２へと送信されるが、図ではこの手順を省略している。
【０１１２】
図４から図６を用いて、本発明の第１の実施形態に関するセカンダリセルの活性化と不活性化の制御手順について説明する。
【０１１３】
第１の実施形態において、セカンダリセルを指定するインデックス番号は、セルグループ毎に独立して設定される。また、セカンダリセルの活性化／不活性化を示すＭＡＣ制御要素は、対象となるセルグループの番号を含めて送信される。そのため、グループ毎にセカンダリセルの活性化／不活性化を示すＭＡＣ制御要素を新規に用意し、デュアルコネクティビティを行っていない場合に使用する第１のＭＡＣ制御要素（図９）と、デュアルコネクティビティを行っている場合に使用する第２のＭＡＣ制御要素（図５）とを使い分ける方法について説明する。
【０１１４】
図４は、本発明の第１の実施形態に係るセルおよびセルインデックスの割り当ての一例について説明するための図である。端末装置１は、デュアルコネクティビティによる接続のために、基地局装置２からセル１、セル２、および、セル３が設定されている。ここで、セル１はプライマリセル（ＰＣｅｌｌ）であり、セル２はセカンダリセル＃０（ＳＣｅｌｌ＃０）、セル３はセカンダリセル＃１（ＳＣｅｌｌ＃１）である。
【０１１５】
また、例えば、在圏セルのインデックス番号を示すサービングセルインデックス（Serving cell index）は、セル１がサービングセルインデックス＃０（Serving cell index#0）、セル２がサービングセルインデックス＃１（Serving cell index#1）、セル３がサービングセルインデックス＃２（Serving cell index#2）であり、セカンダリセルのインデックス番号を示すセカンダリセルインデックス（SCell index）は、セル２がセカンダリセルインデックス＃１（SCell index#1）であり、セル３がセカンダリセルインデックス＃１（SCell index#1）である。
【０１１６】
また、セル１とセル２は、図１０または図１１における基地局装置２−１が管理するセルであり、典型的にはマクロセルである。一方、セル３は、図１０または図１１における基地局装置２−２が管理するセルであり、典型的にはスモールセルである。セル１とセル２は、端末装置１が基地局装置２−１との接続に用いる第１のセルグループ（マスターセルグループ、ＭｅＮＢ  Ｇｒｏｕｐ）に属しており、例えばグループＩＤ（Ｇｒｏｕｐ  ＩＤ：ＧＩＤ）はＧＩＤ＃０である。セル３は、端末装置１が基地局装置２−２との接続に用いる第２のセルグループ（セカンダリセルグループ、ＳｅＮＢ  Ｇｒｏｕｐ）に属しており、例えばグループＩＤはＧＩＤ＃１である。グループＩＤは、グループ識別子（グループ識別子情報）と称されてもよい。
【０１１７】
各々のセルが属するセルグループは、ＲＲＣメッセージによって個別に指定されてもよい。この場合、ＲＲＣメッセージに含まれる識別子（ＧＩＤ）によってセルグループが識別される。また、各々のセルが属するセルグループはＴＡグループと同じであってもよい。この場合、ＴＡグループを指定する識別子（ＴＡＧ  ＩＤ）によってセルグループが識別（分類）される。なお、これらの識別子が指定されないセルで１つのグループを形成してもよい。例えば、上記識別子が指定されないセルが属するセルグループは、プライマリセルを含むマスターセルグループであってもよい。
【０１１８】
なお、マスターセルグループは、マクロセルグループやアンカー（Anchor）セルグループとも称される。また、セカンダリセルグループは、スモールセルグループ、スレーブ（Slave）セルグループ、またはアシスティング（Assisting）セルグループとも称される。なお、マスターセルグループ、セカンダリセルグループ以外の名称であっても、それぞれのセルグループに対するセル状態の制御方法に違いはない。グループ内のセルは１つ以上あればよいが、基地局装置２は、各グループに属するそれぞれのセルの合計数、またはグループ自体の最大数が端末装置１の能力を超えるような設定を行ってはならない。
【０１１９】
図４において、セル２とセル３が同じセカンダリセルインデックス番号（SCell index#1）であるため、従来の活性化／不活性化を示すＭＡＣ制御要素では、どちらのセルを対象とした制御であるかが不明である。そのため、図５に示すように、グループＩＤの情報を追加することによって、制御の対象となるセカンダリセルを一意に確定する。
【０１２０】
図５は、第１の実施形態に係るセル状態の制御に用いる制御要素のフィーマットの一例について説明するための図である。ＭＡＣ制御要素が図５のフォーマットで構成されることを識別するための５ビットのＩＤ（ＬＣＩＤ）として、新規のビット列を割り当てる（例えば「１１０１０」）。ＬＣＩＤはＭＡＣヘッダーに含まれる。図中の「Ｒ」フィールド、および、「Ｃ（ｉ）」フィールド（ｉ＝１〜４）で指定されるビット（ビットマップ情報）が示す意味は図９と同じであるため、詳細な説明を略す。ただし、「Ｃ（ｉ）」フィールドは７ビット長ではなく、４ビット長に短縮されている。
【０１２１】
図５の「ＧＩＤ」フィールドは、活性化／不活性化の対象となるセカンダリセルが属するセルグループをグループＩＤで指定するために用いられる。例えば、「ＧＩＤ」フィールドとして２ビットを使用するとき、「００」はＧＩＤ＃０、「０１」はＧＩＤ＃１をそれぞれ示す。「ＧＩＤ」フィールドに割り当てられるビット数は２ビットに限らず、例えば１ビットであってもよい。「ＧＩＤ」フィールドが１ビットの場合、「Ｃ（ｉ）」フィールドは５ビット長であってもよい。
【０１２２】
なお、図４以外のセル設定、すなわち、サービングセルインデックス、セカンダリセルインデックス、グループＩＤに対して割り当てられる番号は、図４の例に限定されない。ただし、サービングセルインデックスまたはセカンダリセルインデックスのどちらかは端末装置１に対してセル毎にユニークな番号でなければならない。図４は、サービングセルインデックスがユニークな番号とした例を示しているが、セカンダリセルインデックスをユニークな番号とする場合、図５のＣ（ｉ）フィールドのiは、サービングセルインデックスを示すことになる。
【０１２３】
図６は、図４に示したセカンダリセルの割り当て（セル設定）に対する活性化／不活性化を制御する際の、設定ビットの一例について説明するための図である。
【０１２４】
図６（ａ）は、マスターセルグループに属するセル２を活性化させる場合の設定ビットの例を示している。具体的には、基地局装置２は、ＧＩＤフィールドにマスターセルグループのグループＩＤ（ＧＩＤ＃０）を示す「００」をセットする。また、基地局装置２は、セル２のセカンダリセルインデックス（SCell index#1）に対応するＣ（１）フィールドに活性化を示す「１」をセットする。また、基地局装置２は、ＧＩＤ＃０において他のセカンダリセルが存在しないため、Ｃ（４）＝０、Ｃ（３）＝０、Ｃ（２）＝０をそれぞれセットする。
【０１２５】
図６（ｂ）は、セカンダリセルグループに属するセル３を活性化させる場合の設定ビットの例を示している。具体的には、基地局装置２は、ＧＩＤフィールドにセカンダリセルグループのグループＩＤ（ＧＩＤ＃１）を示す「０１」をセットする。また、基地局装置２は、セル３のセカンダリセルインデックス（SCell index#1）に対応するＣ（１）フィールドに活性化を示す「１」をセットする。また、基地局装置２は、ＧＩＤ＃１において他のセカンダリセルが存在しないため、Ｃ（４）＝０、Ｃ（３）＝０、Ｃ（２）＝０をそれぞれセットする。
【０１２６】
このようにビットを設定することによって、端末装置１は、受信したセカンダリセルの活性化および／または不活性化を示すコマンド（ＭＡＣ情報要素）がどちらのセルグループを対象としたものかをＧＩＤフィールドに基づいて判断（判定、決定）することができる。そして、指定されたセルグループに属するセルのうち、どのセルを活性化および／または不活性化するかについて、Ｃ（ｉ）フィールドに基づいて判断することができる。
【０１２７】
なお、図６（ａ）において、マスターセルグループに属するセル２を不活性化させる場合、基地局装置２は、ＧＩＤフィールドにマスターセルグループのグループＩＤ（ＧＩＤ＃０）を示す「００」をセットし、セル２のセカンダリセルインデックス（SCell index#1）に対応するＣ（１）フィールドに不活性化を示す「０」をセットし、Ｃ（４）＝０、Ｃ（３）＝０、Ｃ（２）＝０をそれぞれセットする。
【０１２８】
このように構成することによって、端末装置１と基地局装置２は、基地局装置２−１と基地局装置２−２との間でセカンダリセルの状態（活性化、不活性化）の情報をやり取り（交換）しないことによる状態不一致の問題、特に、未使用のセカンダリセル、すなわち不活性化しているセカンダリセルを活性化してしまうことや、使用中のセカンダリセル、すなわち活性化しているセカンダリセルを不活性化してしまうという問題を回避できる。
【０１２９】
また、セカンダリセルの状態が変更された場合であっても、セカンダリセルの状態に関する情報を基地局装置２−１と基地局装置２−２との間で交換（送受信）しないでも良くなる。また、基地局装置２−１と基地局装置２−２との間で、重複したセカンダリセルインデックスを割り振ることができるため、基地局装置２−１と基地局装置２−２とがそれぞれ独立したセル設定を行うことが可能となり、スケジューリングの自由度が上がる。
【０１３０】
本実施形態の端末装置１は、受信したＭＡＣ制御要素で通知されたグループＩＤおよびセルインデックスに基づいて、他のグループのセルの状態に対して影響を与えない独立したセル状態の制御を行うことが可能となる。また、本実施形態の基地局装置２は、ＭＡＣ制御要素を用いることによって、端末装置１と複数のセルとの接続方法に適応した、他のグループのセルの状態に対して影響を与えずにセルの状態を制御可能な情報を端末装置１に通知することが可能となる。すなわち、基地局装置２は、基地局装置２間のバックボーン回線に遅延が発生するようなネットワークにおいて、端末装置１に効率的なセル状態制御手順を実施させることが可能となる。
【０１３１】
第１の実施形態によれば、端末装置１は、セカンダリセルの活性化および／または不活性化を指示するコマンドにおいて、基地局装置２から通知されたグループＩＤとセルインデックスに基づいてセルの活性化および不活性化の状態を適切に制御する手段を持つことできるため、セル状態制御手順が効率的になる。また、基地局装置２は、端末装置１に対し、セカンダリセルの活性化および／または不活性化を指示するコマンドにおいてグループＩＤとセルインデックスを通知することによって、基地局装置２と端末装置１との間に状態不一致のないセル状態制御手順を提供する手段を持つことができるため、端末装置１に対して効率的なスケジューリングを行うことによって、スループットの低下を避けることができる。
【０１３２】
＜第２の実施形態＞
本発明の第２の実施形態について以下に説明する。
【０１３３】
第２の実施形態は、端末装置１が、セカンダリセルの活性化および／または不活性化に用いるＭＡＣ制御要素を受信したセルが属するグループに基づいて、活性化および／または不活性化の対象のセカンダリセルを判断（判定、決定）することによって、従来のＭＡＣ制御要素を再利用可能なセル状態制御方法について示す。
【０１３４】
第２の実施形態の端末装置１と基地局装置２の構成は、第１の実施形態と同じ構成でよいため説明を省略する。ただし、第２の実施形態の端末装置１と基地局装置２は、活性化および／または不活性化の対象となるセルとＭＡＣ制御要素を送受信するセルとを関連付けて制御するセル状態制御手順を実現する能力を備えている。なお、本発明の第２の実施形態に関するシーケンスチャート図は図３に示したものと同じで良い。
【０１３５】
図７および図８を用いて、本発明の第２の実施形態に関するセカンダリセルの活性化と不活性化の制御手順について説明する。第２の実施形態に係るセル状態の制御に用いる制御要素のフィーマットは図９と同じである。
【０１３６】
図７は、本発明の第２の実施形態に係るセルおよびセルインデックスの割り当ての一例について説明するための図である。端末装置１は、デュアルコネクティビティによる接続のために、基地局装置２からセル１、セル２、セル３、および、セル４が設定されている。ここで、セル１はプライマリセル（ＰＣｅｌｌ）であり、セル２はセカンダリセル＃０（ＳＣｅｌｌ＃０）、セル３はセカンダリセル＃１（ＳＣｅｌｌ＃１）、セル４はセカンダリセル＃２（ＳＣｅｌｌ＃２）である。
【０１３７】
また、例えば、在圏セルのインデックス番号を示すサービングセルインデックス（Serving cell index）は、セル１がサービングセルインデックス＃０（Serving cell index#0）、セル２がサービングセルインデックス＃１（Serving cell index#1）、セル３がサービングセルインデックス＃４（Serving cell index#4）、セル４がサービングセルインデックス＃５（Serving cell index#5）であり、セカンダリセルのインデックス番号を示すセカンダリセルインデックス（SCell index）は、セル２がセカンダリセルインデックス＃１（SCell index#1）であり、セル３がセカンダリセルインデックス＃４（SCell index#4）であり、セル４がセカンダリセルインデックス＃５（SCell index#5）である。
【０１３８】
また、セル１とセル２は、図１０または図１１における基地局装置２−１が管理するセルであり、典型的にはマクロセルである。一方、セル３とセル４は、図１０または図１１における基地局装置２−２が管理するセルであり、典型的にはスモールセルである。セル１とセル２は、端末装置１が基地局装置２−１との接続に用いる第１のセルグループ（マスターセルグループ、ＭｅＮＢ  Ｇｒｏｕｐ）に属しており、例えばグループＩＤはＧＩＤ＃０である。セル３とセル４は、端末装置１が基地局装置２−２との接続に用いる第２のセルグループ（セカンダリセルグループ、ＳｅＮＢ  Ｇｒｏｕｐ）に属しており、例えばグループＩＤはＧＩＤ＃１である。
【０１３９】
なお、図７以外のセル設定、すなわち、サービングセルインデックス、セカンダリセルインデックス、グループＩＤに対して割り当てられる番号は、図７の例に限定されない。ただし、サービングセルインデックスおよびセカンダリセルインデックスは同じ番号であり、かつ、端末装置１に対してセル毎にユニークな番号でなければならない。
【０１４０】
図８は、図７に示したセカンダリセルの割り当て（セル設定）に対する活性化／不活性化を制御する際の、設定ビットの一例について説明するための図である。
【０１４１】
図８（ａ）は、マスターセルグループに属するセル２を活性化させる場合の設定ビットの例を示している。具体的には、基地局装置２は、セル２のセカンダリセルインデックス（SCell index#1）に対応する、Ｃ（１）フィールドに対して活性化を示す「１」をセットする。また、基地局装置２は、セカンダリセルグループに属するセル３とセル４は制御の対象外であるため、Ｃ（５）フィールドとＣ（４）フィールドに「０（ゼロ）」をセットする。他のセカンダリセルは存在しないため、残りは全て「０（ゼロ）」にセットする。
【０１４２】
ここで、基地局装置２−１は、端末装置１に対し、図８（ａ）に示すＭＡＣ情報要素をＧＩＤ＃０に属するセルのうち、活性化しているセルで送信する。端末装置１は、図８（ａ）に示すＭＡＣ情報要素をＧＩＤ＃０に属するセルで受信した場合、ＧＩＤ＃０に属するセルのみがセル状態の制御の対象であると判断（判定、決定）する。
【０１４３】
端末装置１は、図８（ａ）に示すＭＡＣ情報要素をＧＩＤ＃０に属するセルで受信した場合、ＧＩＤ＃０に属するセル２がセル状態の制御の対象であると判断し、ＧＩＤ＃１に属するセル３とセル４はセル状態の制御の対象外と判断する。すなわち、端末装置１は、セル３とセル４が活性化している場合であっても、図８（ａ）に示すＭＡＣ情報要素によってセル３とセル４を不活性化しない。
【０１４４】
図８（ｂ）は、セカンダリセルグループに属するセル３とセル４を活性化させる場合の設定ビットの例を示している。具体的には、基地局装置２は、セル３とセル４のセカンダリセルインデックス（SCell index#1）にそれぞれ対応する、Ｃ（４）フィールド、およびＣ（５）フィールドに対して活性化を示す「１」をセットする。また、基地局装置２は、マスターセルグループに属するセル２は制御の対象外であるため、Ｃ（１）フィールドに「０（ゼロ）」をセットする。他のセカンダリセルは存在しないため、残りは全て「０（ゼロ）」にセットする。
【０１４５】
ここで、基地局装置２−２は、端末装置１に対し、図８（ｂ）に示すＭＡＣ情報要素をＧＩＤ＃１に属するセルのうち、活性化しているセルで送信する。端末装置１は、図８（ｂ）に示すＭＡＣ情報要素をＧＩＤ＃１に属するセルで受信した場合、ＧＩＤ＃１に属するセルのみがセル状態の制御の対象であると判断（判定、決定）する。
【０１４６】
端末装置１は、図８（ｂ）に示すＭＡＣ情報要素をＧＩＤ＃１に属するセルで受信した場合、ＧＩＤ＃１に属するセル３とセル４がセル状態の制御の対象であると判断し、ＧＩＤ＃０に属するセル２はセル状態の制御の対象外と判断する。すなわち、端末装置１は、セル２が活性化している場合であっても、図８（ｂ）に示すＭＡＣ情報要素によってセル２を不活性化しない。
【０１４７】
このように、端末装置１はセル状態の制御対象となるセルを、活性化および／または不活性化を指示するＭＡＣ制御要素を受信したセルに対応する（関連する）セルグループのセルに制限されると判断し、該セルグループのセカンダリセルに対して活性化および／または不活性化の処理を行う。
【０１４８】
なお、端末装置１は、自装置においてデュアルコネクティビティを用いて基地局装置２と接続されている場合は上述した制御を行い、デュアルコネクティビティを用いて基地局装置２と接続されていない場合は上述した制御を行わないように構成されていてもよい。つまり、端末装置１は制御対象となるセルについて、デュアルコネクティビティを用いて基地局装置２と接続されている場合はＭＡＣ制御要素を受信したセルが属するセルグループに制限する一方、デュアルコネクティビティを用いて基地局装置２と接続されていない場合は全てのセルを制御対象であるとして判断する。また、端末装置１は、ＲＲＣメッセージで指定される情報に基づいて、上述した制御を行うか否かを判断するように構成されていてもよい。
【０１４９】
また、基地局装置２と端末装置１は、上述した以外の方法によってもセル状態制御を行うこともできる。例えば、図８のＲフィールドのビットを、対象となるセルの範囲を示す情報として利用することによって、全グループをセル状態制御の対象としたコマンドと、受信したセルが属するグループのみをセル状態制御の対象としたコマンドとを切り替えられるように構成されてもよい。換言すると、受信したコマンドが、全てのセカンダリセルをセル状態制御の対象としたコマンドであるか、または、受信したセルが属するグループのセカンダリセルをセル状態制御の対象としたコマンドであるかについて、Ｒフィールドに設定されるビットによって切り替えられてもよい。
【０１５０】
すなわち、図８に示すＲフィールドを対象となるセルのグループを指示するフィールドとして用いた場合、該ビットが「０（ゼロ）」である場合、従来の方法による全グループをセル状態制御の対象としたコマンドであり、「１」である場合、受信したセルが属するグループのみをセル状態制御の対象としたコマンドとみなすように構成してもよい。
【０１５１】
例えば、図８（ａ）のＲフィールドが「０」である場合、端末装置１は、全てのＧＩＤ（図７ではＧＩＤ＃０、ＧＩＤ＃１）のセカンダリセルを対象として制御を行う。つまり、Ｃ（１）に対応するセル＃１の活性化を行い、Ｃ（２）からＣ（７）に対応するセルの不活性化を行う。一方、図８（ａ）のＲフィールドが「１」である場合、端末装置１は、受信したセルが属するグループのセカンダリセルを対象として制御を行う。つまり、受信したセルがＧＩＤ＃１に属するセルであった場合、端末装置１は、ＧＩＤ＃０のセルは活性化および／または不活性化の対象とはせず、Ｃ（１）に対応するＧＩＤ＃１のセルの活性化を行い、Ｃ（２）からＣ（７）に対応するＧＩＤ＃１のセルの不活性化を行う。
【０１５２】
このように構成することによって、端末装置１と基地局装置２は、基地局装置２−１と基地局装置２−２との間でセカンダリセルの状態（活性化、不活性化）の情報をやり取り（交換）しないことによる状態不一致の問題、特に、未使用のセカンダリセル、すなわち不活性化しているセカンダリセルを活性化してしまうことや、使用中のセカンダリセル、すなわち活性化しているセカンダリセルを不活性化してしまうという問題を回避できる。
【０１５３】
また、セカンダリセルの状態が変更された場合であっても、セカンダリセルの状態に関する情報を基地局装置２−１と基地局装置２−２との間で交換（送受信）しないでも良くなる。また、従来の活性化および／または不活性化を示すＭＡＣ情報要素を再利用することが可能であるため、端末装置１への影響を最小限にすることができる。
【０１５４】
本実施形態の端末装置１は、ＭＡＣ制御要素を受信したセルが属するセルグループに基づいて、他のグループのセルの状態に対して影響を与えない独立したセル状態の制御を行うことが可能となる。また、本実施形態の基地局装置２は、制御の対象となるセルが属するセルグループに応じてＭＡＣ制御要素の送信先を変えることによって、端末装置１と複数のセルとの接続方法に適応した、他のグループのセルの状態に対して影響を与えずにセルの状態を制御可能な情報を端末装置１に通知することが可能となる。すなわち、基地局装置２は、基地局装置２間のバックボーン回線に遅延が発生するようなネットワークにおいて、端末装置１に効率的なセル状態制御手順を実施させることが可能となる。
【０１５５】
第２の実施形態によれば、端末装置１は、セカンダリセルの活性化および／または不活性化を指示するコマンドにおいて、基地局装置２から送信されたコマンドを受信したセルが属するセルグループに基づいてセルの活性化および不活性化の状態を適切に制御することできるため、セル状態制御手順が効率的になる。また、基地局装置２は、端末装置１に対し、セカンダリセルの活性化および／または不活性化を指示するコマンドを制御の対象となるセルが属するセルグループ内のセルで送信することによって、基地局装置２と端末装置１との間に状態不一致のないセル状態制御手順を提供することができるため、端末装置１に対して効率的なスケジューリングを行うによって、スループットの低下を避けることができる。
【０１５６】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１５７】
また、説明にて用いた「接続」とは、ある装置と別のある装置とを、物理的な回線を用いて直接接続される構成にだけ限定されるわけではなく、論理的に接続される構成や、無線技術を用いて無線接続される構成を含む。
【０１５８】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置などを含む。
【０１５９】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１６０】
なお、３ＧＰＰが規定するＵＭＴＳにおける基地局装置２はＮＢと称され、ＥＵＴＲＡおよびＡｄｖａｎｃｅｄ  ＥＵＴＲＡにおける基地局装置２はｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１６１】
また、説明の便宜上、実施形態の端末装置１および基地局装置２を機能的なブロック図を用いて、端末装置１および基地局装置２の各部の機能またはこれらの機能の一部を実現するための方法、手段、またはアルゴリズムのステップについて説明したが、これらは、ハードウェア、プロセッサによって実行されるソフトウェアモジュール、またはこれら２つを組み合わせたものによって、直接的に具体化され得る。
【０１６２】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１６３】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１６４】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１６５】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１６６】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１６７】
また、上記プログラムは、前述した機能の一部を実現するためのものであっても良く、さらに、前述した機能をコンピュータシステムに既に記録されているプログラムとの組み合わせで実現できるものであっても良い。
【０１６８】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１６９】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０１７０】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１７１】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０１７２】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【符号の説明】
【０１７３】
１…端末装置
２、２−１、２−２…基地局装置
１０１、２０１…受信部
１０２、２０２…復調部
１０３、２０３…復号部
１０４…測定処理部
１０５、２０４…制御部
１０６…上りリンクバッファ制御部
１０７、２０５…符号部
１０８、２０６…変調部
１０９、２０７…送信部
１１０…上りリンク無線リソース要求制御部
１１１…ランダムアクセス制御部
１１２、２０８…上位レイヤ部
２０９…ネットワーク信号送受信部
３００…ＭＭＥ
４００…ＳＧＷ
【図１】
2014208732.tif 000003
【図２】
2014208732.tif 000004
【図３】
2014208732.tif 000005
【図４】
2014208732.tif 000006
【図５】
2014208732.tif 000007
【図６】
2014208732.tif 000008
【図７】
2014208732.tif 000009
【図８】
2014208732.tif 000010
【図９】
2014208732.tif 000011
【図１０】
2014208732.tif 000012
【図１１】
2014208732.tif 000013
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
基地局装置と接続する端末装置であって、
前記基地局装置から受信した情報に基づいてプライマリセルを含む第１のグループのセルから成るマスターセルグループ、または、第２のグループのセルから成るセカンダリセルグループを設定し、
セルの状態を示す制御要素を、前記マスターセルグループのセルにおいて受信した場合、前記マスターセルグループのセルの状態を変更し、
前記制御要素を、前記セカンダリセルグループのセルにおいて受信した場合、前記セカンダリセルグループのセルの状態を変更する端末装置。
【請求項２】
前記制御要素に基づいて、前記マスターセルグループのセル、または前記セカンダリセルグループのセルの状態をアクティベーションまたはディアクティベーションに変更する
請求項１に記載の端末装置。
【請求項３】
端末装置と接続する基地局装置であって、
複数のセルを、プライマリセルを含む第１のグループのセルから成るマスターセルグループ、または、第２のグループのセルから成るセカンダリセルグループのいずれかに設定する情報を前記端末装置に送信し、
前記マスターセルグループのセルの状態を変更する場合、セルの状態を示す制御要素を前記マスターセルグループのセルに対して送信し、前記セカンダリセルグループのセルの状態を変更する場合、前記制御要素を前記セカンダリセルグループのセルに対して送信する基地局装置。
【請求項４】
前記制御要素を送信することによって、前記マスターセルグループのセル、または前記セカンダリセルグループのセルの状態をアクティベーションまたはディアクティベーションに変更する
請求項３に記載の基地局装置。
【請求項５】
端末装置と前記端末装置と接続する基地局装置から構成される通信システムであって、
前記基地局装置は、複数のセルを、プライマリセルを含む第１のグループのセルから成るマスターセルグループ、または、第２のグループのセルから成るセカンダリセルグループのいずれかに設定する情報を前記端末装置に送信し、
前記端末装置は、前記情報に基づいてプライマリセルを含む第１のグループのセルから成るマスターセルグループ、または、第２のグループのセルから成るセカンダリセルグループを設定し、
セルの状態を示す制御要素を、前記マスターセルグループのセルにおいて受信した場合、前記マスターセルグループのセルの状態を変更し、前記制御要素を、前記セカンダリセルグループのセルにおいて受信した場合、前記セカンダリセルグループのセルの状態を変更する通信システム。
【請求項６】
基地局装置と接続する端末装置の制御方法であって、
前記基地局装置から受信した情報に基づいてプライマリセルを含む第１のグループのセルから成るマスターセルグループ、または、第２のグループのセルから成るセカンダリセルグループを設定するステップと、
セルの状態を示す制御要素を、前記マスターセルグループのセルにおいて受信した場合、前記マスターセルグループのセルの状態を変更し、
前記制御要素を、前記セカンダリセルグループのセルにおいて受信した場合、前記セカンダリセルグループのセルの状態を変更するステップと、を少なくとも備える制御方法。
【請求項７】
端末装置と接続する基地局装置の制御方法であって、
複数のセルを、プライマリセルを含む第１のグループのセルから成るマスターセルグループ、または、第２のグループのセルから成るセカンダリセルグループのいずれかに設定する情報を前記端末装置に送信するステップと、
前記マスターセルグループのセルの状態を変更する場合、セルの状態を示す制御要素を前記マスターセルグループのセルに対して送信し、前記セカンダリセルグループのセルの状態を変更する場合、前記制御要素を前記セカンダリセルグループのセルに対して送信するステップと、を少なくとも備える制御方法。
【請求項８】
基地局装置と接続する端末装置に搭載される集積回路であって、
前記基地局装置から受信した情報に基づいてプライマリセルを含む第１のグループのセルから成るマスターセルグループ、または、第２のグループのセルから成るセカンダリセルグループを設定する機能と、
セルの状態を示す制御要素を、前記マスターセルグループのセルにおいて受信した場合、前記マスターセルグループのセルの状態を変更し、
前記制御要素を、前記セカンダリセルグループのセルにおいて受信した場合、前記セカンダリセルグループのセルの状態を変更する機能と、
を少なくとも含む一連の機能を前記端末装置に発揮させる集積回路。
【請求項９】
端末装置と接続する基地局装置に搭載される集積回路であって、
複数のセルを、プライマリセルを含む第１のグループのセルから成るマスターセルグループ、または、第２のグループのセルから成るセカンダリセルグループのいずれかに設定する情報を前記端末装置に送信する機能と、
前記マスターセルグループのセルの状態を変更する場合、セルの状態を示す制御要素を前記マスターセルグループのセルに対して送信し、前記セカンダリセルグループのセルの状態を変更する場合、前記制御要素を前記セカンダリセルグループのセルに対して送信する機能と、
を少なくとも含む一連の機能を前記基地局装置に発揮させる集積回路。
【国際調査報告】
2014208732.tif 000014
2014208732.tif 000015
2014208732.tif 000016
2014208732.tif 000017